(57)【要約】      （修正有）【課題】回転歯に紙を挟まないように平行を維持しやすく、又、封筒開封機として使用する場合でも平行を維持しやすい小型軽便でハンディな電動シュレッダーを提供する。【解決手段】上部のハウジングＡの一端が回転歯の２軸と直角になるように切り欠きされて下部のハウジングＢに通じる二本のアームを有するコの字型紙片通路３が構成されるが、その切り欠いた直角な側面が裁断する紙片を平行に案内保持すると同時に、片方のアーム２２の上面端部に封筒の一端を平行に切ることができるよう格納式の封筒案内スライド１０を持つことを特徴とし、更には片側一方のアーム２３の上部断面がカットされて挿入しやすくし、かつ、ハウジングのそれぞれのアームの一部が透明だと引き込み状態が視認しやすくなる。【選択図】図１
0003189939.tif 000002
【実用新案登録請求の範囲】
【請求項１】
手で握れるような寸法の概ね直方体もしくは概ねかまぼこ型に形成された本体把握部に回転歯を駆動するモーターおよび減速機構そしてバッテリー等が収納されており、又、本体把握部の長手方向の直角な端面から直角かつ平行に突き出すように一体に形成された２本の回転歯収納アームA及び回転歯収納アームBとで構成されていて紙片のサイズを選ばないコの字型紙片通路をなさしめ、かつ直角な紙片の平行保持側面を有することにより案内不良による紙詰まりなどのトラブルを防止せしめ、更にはこの特徴ある切り欠き構造により紙片挿入作業を視認しやすくすることを特徴としたハンディオープンシュレッダー。
【請求項２】
封筒の一端を平行に切ることができるようにするために回転歯収納アームAの上面端部に回転歯の２軸と直角になるような格納式の封筒案内スライドを持ち、かつ、対向する回転歯収納アームBの上部がC面カットもしくは曲面に成形されていて紙片及び封筒挿入を物理的及び視覚的に容易ならしめるように構成されてなる請求項１記載のハンディオープンシュレッダー。
【請求項３】
ハウジングA及びハウジングBのそれぞれの回転歯収納アームA及び回転歯収納アームBが透明な素材で構成されてなる請求項１、請求項２のハンディオープンシュレッダー。
【考案の詳細な説明】
【技術分野】
【０００１】
本考案は、小型軽便なハンディな電動シュレッダーに関するものである。
【背景技術】
【０００２】
書類や郵便物などの紙類を裁断するシュレッダーは企業や官公庁の情報漏洩防止用として必需品であるがほとんどが床置き又はデスクに固定的に置かれる大きなものであった。しかし、近年は個人情報保護のために個人用の小型軽便なハンディタイプも増えている。これらの基本構造は紙片通路が例えばA４とかA5といった紙のサイズに合うようにロの字型に閉鎖されている。そのためにそれより大きい紙片ならば折りたたんで小さくして使用していた。又、裁断紙片を収容する容器が付随するものや、あるいは付随しないものもあった。
【先行技術文献】
【非特許文献】
【０００３】
特殊なものでは、回転歯の２軸が片持ちつまり紙片通路がコの字型になっているので大きな紙片でも裁断でき、かつ可動案内片で封筒の開封もできるようにしてあるハンディ型シュレッダー（特開平１０−１１８５１３）のアイデアもあった。これには裁断紙片を収容する容器は付随していない。因みに、これは本考案者自身の出願である。
【考案の開示】
【考案が解決しようとする課題】
【０００４】
従来の技術でも述べたように、ハンディな電動シュレッダーの機能は、裁断しようとする紙片全部を裁断する必要性は少なく、例えば個人情報あるいは秘匿したい部分のみを裁断できれば事足りるものである。その意味では、その目的を全うできる最小限のシュレッダー機能があればよいことになる。又、封筒開封機能もあれば事務処理効率アップというメリットも有した。しかし、上記のハンディ型シュレッダー（特開平１０−１１８５１３）においては、裁断用紙片の案内部分が短いために手を離せば並行を維持できず斜めに引き込まれ、結果としてたびたび案内部分の壁と回転歯の間に紙が挟まり裁断がストップするという欠点があった。又、封筒開封機として使用する場合でもやはり引き込み時の案内部分が短いため、封筒が斜めに引き込まれてしまい、中の書類を切ってしまうというトラブルもあった。又、紙片通路が狭くかつ握りにくい構造でもあった。
【０００５】
本考案が解決しようという課題は、裁断紙片を引き込むときに案内部分の壁と回転歯の間に紙を挟まないよう平行を維持しやすく、又、封筒開封機として使用する場合でも平行を維持しやすくかつ把握しやすい小型軽便なハンディな電動シュレッダーを得ることにある。
【課題を解決するための手段】
【０００６】
本考案は前記した課題を解決するために、手で握れるような寸法の概ね直方体もしくは概ねかまぼこ型に形成された本体把握部に回転歯を駆動するモーターおよび減速機構そしてバッテリー等が収納されており、かつ、本体把握部の長手方向の直角な端面から直角かつ平行に突き出すように本体把握部と一体に形成された２本の回転歯収納アームA及び回転歯収納アームBとで構成されていて紙片のサイズを選ばないコの字型紙片通路をなさしめ、かつ直角な紙片の平行保持側面を有することにより案内不良による紙詰まりなどのトラブルを防止せしめ、更にはこの特徴ある形状構造により紙片挿入作業を視認しやすくする。更には、封筒の一端を平行に切ることができるようにするために回転歯収納アームAの上面端部に回転歯の２軸と直角になるような格納式の封筒案内スライドを持ち、かつ、対向する回転歯収納アームBの上部断面がC面カットもしくは曲面に成形されていて紙片及び封筒挿入を物理的及び視覚的に容易ならしめるように構成される。又、ハウジングA及びハウジングBのそれぞれのアーム部分が紙片挿入を視覚的に容易ならしめるよう透明な素材で構成されていればより効果的である。電源は内臓バッテリーもしくはACアダプターからの供給が選択できる。
【考案の効果】
【０００７】
本体把握部の長手方向の直角な端面から直角かつ平行に突き出すように本体把持部と一体に形成された２本の回転歯収納アームA及び回転歯収納アームBとで構成されていて紙片のサイズを選ばないコの字型紙片通路をなさしめ、かつ直角な紙片の平行保持側面を有することにより案内不良による紙詰まりなどのトラブルを防止せしめ、更にはこの特徴ある形状構造により紙片挿入作業を視認しやすくするという効果を有する。
【０００８】
回転歯収納アームAの上面端部に封筒の一端を平行に切ることができるようにやはり回転歯の２軸と直角に格納式の封筒案内スライドを持つので中の文書を傷つけずに開封できる効果を有する。
【０００９】
回転歯収納アームAの上面端部に封筒の一端を平行に切ることができるようにやはり回転歯の２軸と直角な格納式の封筒案内スライドを持つが、この封筒案内スライドを容易に形成するために上面の断面は直角であるが、片側の回転歯収納アームB の上部断面がC面カットもしくは曲面に成形されているので裁断する紙片や封筒を視認しやすく、又、差し込みやすくする効果を有する。
【００１０】
ハウジングA及びハウジングBのそれぞれの回転歯収納アームA及び回転歯収納アームBが透明な素材で構成されていれば紙片挿入状況を視覚的に容易ならしめるので更に効果的である。
【考案を実施するための最良の形態】
【００１１】
本考案のハンディオープンシュレッダー１の実施例形態を請求項１から請求項３までを含めて図１から図９に基づき説明する。図１は本考案のハンディオープンシュレッダー１の斜視図で、全体の構成と位置関係を表している。中の直流モーター６や減速機構７、バッテリー８そして回転歯４、等の概略位置は点線で表している。全体の形状は概ねかまぼこ型であり、ハウジングA２の一端は直角に切り取られた形状で、回転歯収納アームA２２及び回転歯収納アームB２３を有するコの字型紙片通路３を一体で形成している。ハウジングB１４も一端にコの字型紙片通路３を一体成型で有しハウジングAのコの字型紙片通路３と連通している。コの字型紙片通路３には同期して逆回転する平行な２軸の回転歯４が露出していて紙片17を引き込み裁断する。この２軸はハウジングB１４ももしくはハウジングA２に収められ固定される。回転歯収納アームA２２の上面には封筒案内スライド１０の一部が外に出ていて指でコの字型紙片通路３へ押し出せるようになっている。回転歯収納アームB２３の内側上部はカットされており、かつ封筒案内スライド１０に対応する位置に封筒案内スライド受け溝１３が形成されている。操作スイッチ１１はハウジングA２の曲面上に形成されていて、持ち方にかかわらず指一本で簡単に紙片１７の送りおよび戻しができるように位置が選定されている。アームA２２およびアームB２３の上面と直角に形成された平行保持側面９は回転歯４付近まで延長されており紙片１７を平行に導く。なお、請求項３にあるハウジングA及びハウジングBのそれぞれの回転歯収納アームA及び回転歯収納アームBが透明な素材で構成される場合は、それぞれのアームに透明な樹脂部品がはめ込まれる。
【００１２】
図２は本考案のハンディオープンシュレッダー１を左手１５で持ち、右手１６で紙片１７をコの字型紙片通路３に差込み裁断している斜視図である。この場合、左手の人差し指で反対側の操作スイッチ１１を操作している。操作スイッチ１１の向きにより手前にも向こう側にも紙片１７を送り出せる。
【００１３】
図３は本考案のハンディオープンシュレッダー１を机上に置き、左手１６で操作スイッチ１１を操作し、右手１５で封筒１８を軽く支えて封筒１８の開封をしている状態を示す斜視図である。この場合、封筒案内スライド１０をコの字型紙片通路３に押し出し、封筒18の長辺をあてる。
【００１４】
図４は本考案のハンディオープンシュレッダー１の右側面図である。封筒案内スライド１０は押し出されてはおらず、シュレッダーとして使用する状態を示す。
【００１５】
図５は図４の封筒案内スライドをコの字型紙片通路３の方向へ押し出し封筒案内スライド受け溝１３に収めた状態を示す右側面図である。封筒１８の開封に使える状態を示す。
【００１６】
図６は本考案のハンディオープンシュレッダー１の平面図である。封筒案内スライド１０は押し出されてはいない状態を示す。
【００１７】
図７は本考案のハンディオープンシュレッダー１の正面図である。
【００１８】
図８は本考案のハンディオープンシュレッダー１の底面図である。バッテリーカバー２０がハウジングB１４に差し込まれて設置されているのを示す。
【００１９】
図９は本考案のハンディオープンシュレッダー１の左側面図である。ハウジングA２にはACアダプタープラグ差込口２１が設けられ、バッテリーカバー２０がハウジングA2およびハウジングB１４の双方に係止されている状態を示す。
【産業上の利用可能性】
【００２０】
本考案は以上のように構成されるので、個人用もしくは小規模オフィス向けの軽便なシュレッダー及び封筒開封機として有用であり、又、従来のものがオフィス機器のイメージが強かったのに対して握って使うというハンディさが文具に近い位置付けを得られるので売り場も限定されないという大きなメリットが発生する。
【図面の簡単な説明】
【００２１】
【図１】本考案の実施例を表す斜視図である。
【図２】本考案の実施例をシュレッダーとして使用する状況を示す斜視図である。
【図３】本考案の実施例を封筒開封に使用する状況を示す斜視図である。
【図４】本考案の実施例の右側面図である。
【図５】封筒案内スライドをスライドさせた本考案の実施例の右側面図である。
【図６】本考案の実施例の平面図である。
【図７】本考案の実施例の正面図である。
【図８】本考案の実施例の底面図である。
【図９】本考案の実施例の左側面図である。
【符号の説明】
【００２２】
１  ハンディオープンシュレッダー
２  ハウジングA
３  コの字型紙片通路
４  回転歯
５  駆動軸
６  直流モーター
７  減速機構
８  バッテリー
９  平行保持側面
１０  封筒案内スライド
１１  操作スイッチ
１２  カットされた上面
１３  封筒案内スライド受け溝
１４  ハウジングB
１５  左手
１６  右手
１７  紙片
１８  封筒
１９  裁断紙片
２０  バッテリーカバー
２１  ACアダプタープラグ差込口
２２  回転歯収納アームA
２３  回転歯収納アームB
２４  アームB下部
２５  アームA下部
２６  本体把握部
【図１】
0003189939.tif 000003
【図２】
0003189939.tif 000004
【図３】
0003189939.tif 000005
【図４】
0003189939.tif 000006
【図５】
0003189939.tif 000007
【図６】
0003189939.tif 000008
【図７】
0003189939.tif 000009
【図８】
0003189939.tif 000010
【図９】
0003189939.tif 000011
【手続補正書】
【提出日】平成26年2月12日(2014.2.12)
【手続補正１】
【補正対象書類名】実用新案登録請求の範囲
【補正対象項目名】全文
【補正方法】変更
【補正の内容】
【実用新案登録請求の範囲】
【請求項１】
手で握れるような寸法の概ね直方体もしくは概ねかまぼこ型に形成された本体把握部に回転歯を駆動するモーターおよび減速機構そしてバッテリー等が収納されており、又、前記本体把握部の長手方向の端面に対して直角に突き出すように、互いに平行な２本の回転歯収納アームが前記本体把握部と一体に設けられ、前記２本の回転歯収納アームの内側面と前記端面とで、紙片のサイズを選ばないコの字型紙片通路を形成し、紙片を前記端面に沿って移動させつつ、回転歯収納アームに収納した回転歯で前記紙片を切断することで、案内不良による紙詰まりなどのトラブルを防止せしめ、紙片挿入作業を視認しやすくすることを特徴としたハンディオープンシュレッダー。
【請求項２】
封筒の一端を平行に切ることができるようにするために前記２本の回転歯収納アームのうち一方の上面端部に回転歯の２軸と直角になるような格納式の封筒案内スライドを持ち、かつ、対向する他方の回転歯収納アームの上部がC面カットもしくは曲面に成形されていて紙片及び封筒挿入を物理的及び視覚的に容易ならしめるように構成されてなる請求項１記載のハンディオープンシュレッダー。
【請求項３】
前記２本の回転歯収納アームが透明な素材で構成されてなる請求項１、または２記載のハンディオープンシュレッダー。